(57)【特許請求の範囲】
【請求項１】
線材を用いた編み目状組織の筒体により形成された医療用材料であって、
前記筒体の略中央部の筒径が他の部分の筒径よりも小さくなるように前記略中央部が絞られた形状を備え、
前記医療用材料における筒体長手方向の第１の端部を固定して他の端部である第２の端部を第１の端部側へ引っ張ることにより、前記他の部分の筒径が拡張されることを特徴とする医療用材料。
【請求項２】
線材を用いた編み目状組織の筒体により形成された医療用材料であって、
前記筒体の略中央部の筒径が他の部分の筒径よりも小さくなるように前記略中央部が絞られた形状を備え、
前記略中央部を中心にして第１の端部側の第１の筒部と第２の端部側の第２の筒部とが形成され、
第１の端部を固定して他の端部である第２の端部を第１の端部側へ引っ張ることにより、前記第１の筒部と前記第２の筒部とが前記略中央部を中心にして接近することを特徴とする医療用材料。
【請求項３】
線材を用いた編み目状組織の筒体により形成された医療用材料であって、
前記筒体の略中央部の筒径が他の部分の筒径よりも小さくなるように前記略中央部が絞られた形状を備え、
前記略中央部を中心にして第１の端部側の第１の筒部と第２の端部側の第２の筒部とが形成され、
第１の端部を固定して前記第１の筒部における略中央部側を第１の端部側へ引っ張ることにより、前記第１の筒部の筒径が拡張されることを特徴とする医療用材料。
【請求項４】
線材を用いた編み目状組織の筒体により形成された医療用材料であって、
前記筒体の略中央部の筒径が他の部分の筒径よりも小さくなるように前記略中央部が絞られた形状を備え、
前記略中央部を中心にして第１の端部側の第１の筒部と第２の端部側の第２の筒部とが形成され、
前記第１の端部側から前記第２の端部側まで前記筒体の内部に通され、前記第２の端部に係合され前記第１の端部側まで前記筒体の内部に通され、前記第１の端部に係合され前記第２の端部側まで前記筒体の内部に再度通され、前記第２の端部に再度係合され前記第１の端部側まで筒体の内部に再度通された紐を備えることを特徴とする医療用材料。
【請求項５】
線材を用いた編み目状組織の筒体により形成された医療用材料であって、
前記筒体の略中央部の筒径が他の部分の筒径よりも小さくなるように前記略中央部が絞られた形状を備え、
前記略中央部を中心にして第１の端部側の第１の筒部と第２の端部側の第２の筒部とが形成され、
前記第１の端部側から前記第２の端部側まで前記筒体の内部に通され、前記第２の端部に係合され前記略中央部まで前記筒体の内部に通され、前記略中央部に係合され前記第２の端部側まで前記筒体の内部に再度通され、前記第２の端部に再度係合され前記第１の端部側まで筒体の内部に再度通された紐を備えることを特徴とする医療用材料。
【発明の詳細な説明】
【技術分野】
【０００１】
本発明は、生体組織に形成された欠損孔、動脈瘤等を治療するための医療用材料に関し、特に、カテーテルにセットされて血管内を通じて治療部位まで送り込まれて生体内に留置される医療用材料に関する。
【背景技術】
【０００２】
人間の心臓は中隔という組織で左右の部屋が仕切られており、左右それぞれに心房と心室とがあり、右心房、右心室、左心房、左心室の２心房２心室で構成されている。このような構成の心臓において、胎児期の発達障害により、先天的に欠損孔と呼ばれる穴が、右心房と左心房とを隔てる心房中隔に開いている心房中隔欠損症（ＡＳＤ：Ａｔｒｉａｌ  Ｓｅｐｔａｌ  Ｄｅｆｅｃｔ）という疾患がある。【０００３】
この心房中隔欠損症の治療としては、以下に示す２つの方法がある。ひとつは胸を切って行う外科手術、もうひとつが胸を切らずに、閉鎖栓を使ったカテーテル治療である。
外科手術（パッチ手術）は、人工心肺を使用し、開胸して、欠損孔をパッチにて閉じる。カテーテル治療は、カテーテルに閉鎖栓をセットし、カテーテルを血管内に挿入し、目的の位置（欠損孔）まで送り込んで、その後、閉鎖栓を放出し体内に留置する。このカテーテル治療では胸を切開しないで足の付け根の静脈（大腿静脈）から、細長く折り畳んだ閉鎖栓とよばれる小さな治具（デバイス）を心房中隔に開いた穴の位置まで送り込み、穴を塞ぐものである。このカテーテル治療の長所は、全身麻酔が必要な開胸手術をすることなく、足の付け根（そけい部）という目立たない場所から、ごく小さな皮膚の切開（数ミリ）で治療ができる点である。【０００４】
特表２００８−５１２１３９号公報（特許文献１）は、心房中隔欠損症のカテーテル治療に用いられるアセンブリ（閉鎖栓）を開示する。このアセンブリは、心臓の通路（欠損孔）を密閉する。このアセンブリは、通路の第一端の近位に配置するために使用される第一アンカー、通路の第二端の近位に配置するために使用される第二アンカー、および通路を通って伸び、第一および第二アンカーに結合するために使用される可撓性延長材を含む心臓の通路を密閉する閉鎖装置からなり、第二アンカーは可撓性延長材に対して移動可能で第一および第二アンカーの間の可撓性延長材の長さを変更し、閉鎖装置を心臓の通路に供給する供給システムからなり、供給装置はガイドカテーテルの内腔の中を移動するように設定され、第二アンカーの可撓性延長材に沿った運動を制御するワイヤーを含む。【０００５】
そして、この特許文献１において、卵円孔開存（ＰＦＯ：Ｐａｔｅｎｔ  Ｏｖａｌ  Ｆｏｒａｍｅｎ）閉鎖装置（閉鎖栓）は、左心房アンカー、右心房アンカー、テザーおよびロックを含み、左心房アンカー、テザーを介して左心房アンカーに結合する右心房アンカーおよびロックは心臓内に残留してＰＦＯを密閉することが開示されている。
【先行技術文献】
【特許文献】
【０００６】
【特許文献１】特表２００８−５１２１３９号公報
【発明の概要】
【発明が解決しようとする課題】
【０００７】
パッチ手術の場合には、人工心肺を使用し、また、侵襲性が高いため入院期間が長くなるという問題がある。カテーテル治療の場合には、人工心肺は使用せず、また、侵襲性も低いため入院期間も短く好ましい。
特許文献１に開示されるように、左心房アンカーおよび右心房アンカーは心臓内に残留する。そして、左心房アンカーおよび右心房アンカーは一つまたはそれ以上のアームを含み、アームはハブから放射状に外側に向かって伸びており、このアームは好適には二成分ニッケルチタン合金の圧延シートから形成されている。そして、これらの左心房アンカーおよび右心房アンカーを生体内で拡張させて欠損孔を塞ぐことになるが、アンカーの拡張を開始させると、容易には元に戻すことはできない。特許文献１に開示されているような、複雑な構造で、かつ、生体外からの操作が難しい、専用の取出し装置を用いてアンカーを折りたたむことになる。【０００８】
しかしながら、たとえば、アンカーが心房内の生体組織に引っ掛かり傷付ける等の事態になった場合には、このような専用の取出し装置でアンカーを折りたたむだけの時間的余裕がない場合もある。このような場合には、開胸手術に即座に切り換えざるを得ない。これでは、結局、侵襲性が高い開胸手術を受けることになるという問題点がある。
さらに、金属製の欠損孔閉鎖栓が体内に一生涯残存するため、遠隔期の不具合が懸念されるという問題点がある。【０００９】
また、このような欠損孔以外にも、カテーテル治療が適用される疾患として、生体内各部に形成される動脈瘤がある。このような動脈瘤に対しても、上述した問題点と同様の問題点を有する。
本発明は、従来技術の上記の問題点に鑑みて開発されたものであり、その目的とするところは、生体内の治療部位にて放出・留置できる低侵襲のカテーテル治療を、複雑な構造を備えず容易な操作で可能となり、体内に残存しても遠隔期の不具合の可能性がほとんどない、医療用材料を提供することを目的とする。
【課題を解決するための手段】
【００１０】
上記目的を達成するため、本発明に係る医療用材料は以下の技術的手段を講じている。
すなわち、本発明に係る医療用材料は、線材を用いた編み目状組織の筒体により形成された医療用材料であって、前記筒体の略中央部の筒径が他の部分の筒径よりも小さくなるように前記略中央部が絞られた形状を備えることを特徴とする。
好ましくは、前記医療用材料における筒体長手方向の第１の端部を固定して他の端部である第２の端部を第１の端部側へ引っ張ることにより、前記他の部分の筒径が拡張されるように構成することができる。【００１１】
さらに好ましくは、前記略中央部を中心にして第１の端部側の第１の筒部と第２の端部側の第２の筒部とが形成され、前記円筒形状の第１の端部を固定して他の端部である第２の端部を第１の端部側へ引っ張ることにより、前記第１の筒部と前記第２の筒部とが前記略中央部を中心にして接近するように構成することができる。
さらに好ましくは、前記第２の端部に係合され、前記第１の端部側まで前記筒体の内部に通された紐をさらに備えるように構成することができる。【００１２】
さらに好ましくは、前記略中央部を中心にして第１の端部側の第１の筒部と第２の端部側の第２の筒部とが形成され、前記円筒形状の第１の端部を固定して前記第１の筒部における略中央部側を第１の端部側へ引っ張ることにより、前記第１の筒部の筒径が拡張されるように構成することができる。
さらに好ましくは、前記第１の筒部における略中央部側に係合され、前記第１の端部側まで前記筒体の内部に通された紐をさらに備えるように構成することができる。【００１３】
さらに好ましくは、前記略中央部を中心にして第１の端部側の第１の筒部と第２の端部側の第２の筒部とが形成され、前記第１の端部側から前記第２の端部側まで前記筒体の内部に通され、前記第２の端部に係合され前記第１の端部側まで前記筒体の内部に通され、前記第１の端部に係合され前記第２の端部側まで前記筒体の内部に再度通され、前記第２の端部に再度係合され前記第１の端部側まで筒体の内部に再度通された紐を備えることを特徴とする。【００１４】
さらに好ましくは、前記略中央部を中心にして第１の端部側の第１の筒部と第２の端部側の第２の筒部とが形成され、前記第１の端部側から前記第２の端部側まで前記筒体の内部に通され、前記第２の端部に係合され前記略中央部まで前記筒体の内部に通され、前記略中央部に係合され前記第２の端部側まで前記筒体の内部に再度通され、前記第２の端部に再度係合され前記第１の端部側まで筒体の内部に再度通された紐を備えることを特徴とする。【００１５】
さらに好ましくは、前記形状は、砂時計型、８の字型または２連の紡錘型であるように構成することができる。
さらに好ましくは、前記線材は、生体吸収性材料であるように構成することができる。
さらに好ましくは、生体吸収性材料からなる不織布、スポンジ、フィルムおよびこれらの複合体のいずれかから構成された多孔質筒状層が、前記筒体の内面に配置されているように構成することができる。
【発明の効果】
【００１６】
本発明の医療用材料によれば、生体内の治療部位にて放出・留置できる低侵襲のカテーテル治療を、複雑な構造を備えず容易な操作で可能となる。さらに、本発明の医療用材料によれば、体内に残存しても遠隔期の不具合の可能性がほとんどない。
【図面の簡単な説明】
【００１７】
【図１】本発明に係る医療用材料の一例である欠損孔閉鎖材の全体斜視図である。
【図２Ａ】図１の欠損孔閉鎖材の部分的な側面図である。
【図２Ｂ】図２ＡのＡ−Ａ断面図である。
【図３】図１の欠損孔閉鎖材を心房中隔欠損症のカテーテル治療に用いる場合の概念図である。
【図４】カテーテル治療の手順を示す図３のＢ部の拡大図（その１）である。
【図５】カテーテル治療の手順を示す図３のＢ部の拡大図（その２）である。
【図６】カテーテル治療の手順を示す図３のＢ部の拡大図（その３）である。
【図７】カテーテル治療の手順を示す図３のＢ部の拡大図（その４）である。
【図８】カテーテル治療の手順を示す図３のＢ部の拡大図（その５）である。
【図９】動脈瘤に対するカテーテル治療の手順を示す図（その１）である。
【図１０】動脈瘤に対するカテーテル治療の手順を示す図（その２）である。
【図１１】動脈瘤に対するカテーテル治療の手順を示す図（その３）である。
【図１２】本発明の変形例に係る医療用材料の一例である欠損孔閉鎖材の全体斜視図である。
【発明を実施するための形態】
【００１８】
以下、本発明に係る医療用材料を、図面に基づき詳しく説明する。なお、以下においては、本発明に係る医療用材料の一例として、カテーテル治療に用いられる欠損孔閉鎖材について説明するが、その他の開口または通路、たとえば心室中隔欠損、動脈管開存等の心臓のその他の開口、および動静脈瘻等の生体のその他の部位（たとえば胃）の開口または通路の閉鎖にも適している。従って、本発明の実施の形態に係る欠損孔閉鎖材は、心房中隔欠損症の穴を閉鎖するための使用に限定されるものではない。特に、他の使用態様として説明するように動脈瘤のカテーテル治療に適用することが可能であることをはじめ、他の疾患に対するカテーテル治療に適用することが可能である。
【００１９】
さらに、以下の実施の形態においては、欠損孔閉鎖材１００の編み目状組織は生体吸収性繊維（線材の一例）を編成したものとして説明するが、本発明はこれに限定されるものではない。生体に形成された欠損孔を閉鎖するカテーテル治療ができる欠損孔閉鎖材であればよく、その編み目状組織は、後述する第１の特徴および第２の特徴を備え第１の作用および第２の作用を発現する素材であれば生体吸収性繊維以外の線材で編成されていても構わない。このような線材としては、形態保持性を備えるためにある程度の硬度を備えることが好ましい。
［構成］
図１に本実施の形態に係る欠損孔閉鎖材（閉鎖栓）１００の全体斜視図を、図２Ａに、この欠損孔閉鎖材１００の部分的な側面図を、図２Ｂに図２ＡのＡ−Ａ断面図を、それぞれ示す。なお、図２Ｂは、欠損孔閉鎖材１００の断面図であるが、紐１４０、生体吸収性繊維１５０および多孔質筒状層１６０の断面のみを図示して、矢示Ａ方向から視認できる生体吸収性繊維１５０の編み目を図示していない。また、図１、図２Ａおよび図２Ｂにおいて、紐１４０の存在および生体吸収性繊維１５０の編み目についての理解を容易にするために、多孔質筒状層１６０は透明な素材として図示している。
【００２０】
これらの図に示すように、この欠損孔閉鎖材１００は、生体吸収性材料を用いた編み目状組織の２つの筒体（第１の筒部１１０および第２の筒部１２０）により形成されており、その形状はこのような２つの筒体から構成される、たとえば砂時計型、８の字型、２連の紡錘型（細長い棒状の真ん中が太く両端が細い紡錘形状物が２つ連続した形状）またはピーナッツ型（２粒の実を内包するピーナッツの殻の外観形状）と呼ばれるような形状を備える。このような形状を備える欠損孔閉鎖材１００は、筒体の略中央部１３０の筒径が他の部分の筒径よりも小さくなるように略中央部１３０が絞られた形状を備える。すなわち、略中央部１３０を中心にして第１の端部１１２側の第１の筒部１１０と第２の端部１２２側の第２の筒部１２０とが形成されている。
【００２１】
なお、限定されるものではないが、この欠損孔閉鎖材１００は、第１の筒部１１０および第２の筒部１２０が一体的に編まれて略同一径の筒体を編成した後に、第１の筒部１１０および第２の筒部１２０と同素材の紐により略中央部１３０において絞られて、２つの筒体から構成される砂時計型、８の字型、２連の紡錘型またはピーナッツ型に形成される。
【００２２】
さらに、この欠損孔閉鎖材１００は、第２の端部１２２に係合され（第２の端部１２２のループに引っかけられ）、第１の端部１１２側まで筒体の内部に通された紐１４０を備える。この紐１４０を用いることにより、欠損孔閉鎖材１００における筒体の長手方向の第１の端部１１２を固定して他の端部である第２の端部１２２を第１の端部１１２側へ引っ張ることができる。このように紐１４０を用いて第２の端部１２２を第１の端部１１２側へ引っ張ることにより、略中央部１３０の他の部分の筒径（第１の筒部１１０および第２の筒部１２０における胴部分の筒径）が拡張されたり、第１の筒部１１０と第２の筒部１２０とが略中央部１３０を中心にして接近したりする。
【００２３】
なお、この欠損孔閉鎖材１００においては、生体吸収性材料からなる不織布、スポンジ、フィルムおよびこれらの複合体のいずれかから構成された多孔質筒状層１６０が、筒体の内面に配置されている。第１の筒部１１０および第２の筒部１２０は、生体吸収性繊維１５０の編み物、組み紐状織物、または、筒編み状編み物で構成されており、全体が編み目状組織とされている。多孔質筒状層１６０は、薬剤を塗布、含浸、埋め込みなどで保持させるために、不織布、スポンジ、フィルム、または、これらの複合体のいずれかで構成されている。さらに、この多孔質筒状層１６０は、生体吸収性材料に限定されるものではなく、生体に吸収されない材料であっても構わない。
【００２４】
このように、第１の筒部１１０、第２の筒部１２０、紐１４０（略中央部１３０を絞る紐を含む）および多孔質筒状層１６０により本実施の形態に係る欠損孔閉鎖材１００が構成されている。これらの素材は全て生体吸収性材料で構成されているために、欠損孔閉鎖材１００の全体が生体吸収性を備える。さらに、欠損孔閉鎖材１００の形状が変化するが、このように生体内で形状が変化しても生体内組織を損傷することがない、素材、編み目形状、繊維組織および繊維断面で形成されている。なお、通常、紐１４０は、後述するカテーテル治療が終わると生体外に取り出される。この点において、紐１４０は、必ずしも生体吸収性を備える必要はない。
【００２５】
第１の筒部１１０、第２の筒部１２０、紐１４０（略中央部１３０を絞る紐を含む）を構成している生体吸収性繊維１５０は、たとえば、ポリグリコール酸、ポリラクチド（Ｄ、Ｌ、ＤＬ体）、ポリカプロラクトン、グリコール酸−ラクチド（Ｄ、Ｌ、ＤＬ体）共重合体、グリコール酸−ε−カプロラクトン共重合体、ラクチド（Ｄ、Ｌ、ＤＬ体）−ε−カプロラクトン共重合体、ポリ（ｐ−ジオキサノン）、グリコール酸−ラクチド（Ｄ、Ｌ、ＤＬ体）−ε−カプロラクトン共重合体等から選択される少なくとも１種とされ、モノフィラメント糸、マルチフィラメント糸、撚糸、組み紐などのいずれかに加工した形態で使用されるが、モノフィラメント糸の形態で使用されるのが好ましい。
【００２６】
生体吸収性繊維１５０の直径は、０．００１ｍｍ〜１．５ｍｍ程度とされ、適用するカテーテル治療に適切な繊維径および種類が選定される。また、生体吸収性繊維１５０の断面は、生体内組織を損傷しないことを条件として、円、楕円、その他の異形（たとえば星形）などのいずれであってもよい。さらに、生体吸収性繊維１５０の表面は、プラズマ放電、電子線処理、コロナ放電、紫外線照射、オゾン処理等により親水化処理してもよい。また、生体吸収性繊維１５０は、Ｘ線不透過材（たとえば、硫酸バリウム、金チップ、白金チップ等）の塗布または含浸処理や、薬剤（たとえば、心房中隔欠損症のカテーテル治療に適した薬剤）の付着処理、コラーゲン、ゼラチン等の天然高分子あるいはポリビニルアルコール、ポリエチレングリコール等の合成高分子でコーティング処理してもよい。
【００２７】
第１の筒部１１０および第２の筒部１２０は、生体吸収性繊維１５０が、たとえば、モノフィラメント糸として所望される外径のシリコーン製ゴム管（図示省略）の回りに複数（たとえば、８口または１２口）の給糸口をもつ組紐機を用いて組み紐状織物に製作され、または、丸編機（図示省略）で、略同一径の筒体の編み目状組織に編成される。編成後、上記したように、第１の筒部１１０および第２の筒部１２０と同素材の紐により略中央部１３０において絞られて、２つの筒体から構成される砂時計型、８の字型、２連の紡錘型またはピーナッツ型に形成される。第１の筒部１１０および第２の筒部１２０の筒径は、縮径した場合にカテーテルの内径よりも小さく、拡径した場合に心房中隔欠損症のカテーテル治療に好適な大きさを備える。たとえば、拡径した場合の第１の筒部１１０および第２の筒部１２０の筒径は、５ｍｍ〜８０ｍｍ、好ましくは１５ｍｍ〜２５ｍｍ程度である。また、第１の筒部１１０および第２の筒部１２０の長さ、ならびに、欠損孔閉鎖材１００の編み目状組織の密度についても、心房中隔欠損症のカテーテル治療に好適な密度を備える。なお、第１の筒部１１０および第２の筒部１２０の筒径および長さは、同じである必要はなく、心房中隔欠損症のカテーテル治療に好適なように変更すれば良い。
【００２８】
多孔質筒状層１６０を構成する生体吸収性材料としては特に限定されず、たとえば、ポリグリコール酸、ポリラクチド（Ｄ、Ｌ、ＤＬ体）、ポリカプロラクトン、グリコール酸−ラクチド（Ｄ、Ｌ、ＤＬ体）共重合体、グリコール酸−ε−カプロラクトン共重合体、ラクチド（Ｄ、Ｌ、ＤＬ体）−ε−カプロラクトン共重合体、ポリ（ｐ−ジオキサノン）、グリコール酸−ラクチド（Ｄ、Ｌ、ＤＬ体）−ε−カプロラクトン共重合体等の合成吸収性高分子が挙げられる。これらは単独で用いられてもよく、２種以上が併用されてもよい。なかでも、適度な分解挙動を示すことから、ポリグリコール酸、ラクチド（Ｄ、Ｌ、ＤＬ体）−ε−カプロラクトン共重合体、グリコール酸−ε−カプロラクトン共重合体およびグリコール酸−ラクチド（Ｄ、Ｌ、ＤＬ体）−ε−カプロラクトン共重合体からなる群より選択される少なくとも１種が好適で、不織布、スポンジ、フィルムまたはこれらの複合体のいずれかから構成される。特に、好ましい態様としては、不織布を例示できる。
【００２９】
この多孔質筒状層１６０が不織布の場合は、親水化処理が施されていてもよい。親水化処理としては特に限定されず、たとえば、プラズマ処理、グロー放電処理、コロナ放電処理、オゾン処理、表面グラフト処理または紫外線照射処理等が挙げられる。なかでも、不織布層の外観を変化させることなく吸水率を飛躍的に向上できることからプラズマ処理が好適である。なお、多孔質筒状層１６０は、スポンジ層またはフィルム層でもよく、または、不織布とスポンジ層との複合層、不織布とフィルム層との複合層、スポンジ層とフィルム層との複合層、不織布とスポンジ層とフィルム層との複合層、としてもよい。
【００３０】
この多孔質筒状層１６０には、心房中隔欠損症のカテーテル治療に適した薬剤が保持される。
以上のように、本実施の形態に係る欠損孔閉鎖材１００は、以下の特徴を備える。
（第１の特徴）略中央部１３０において絞られた（同素材の紐で縛られた）第１の筒部１１０および第２の筒部１２０から構成される砂時計型、８の字型、２連の紡錘型またはピーナッツ型に形成されている。
（第２の特徴）第２の端部１２２に係合され（第２の端部１２２のループに引っかけられ）、第１の端部１１２側まで筒体の内部に通された紐１４０を備えている。
（第３の特徴）第１の筒部１１０、第２の筒部１２０、紐１４０（略中央部１３０を絞る紐を含む）および多孔質筒状層１６０により構成され、これらの素材は全て生体吸収性材料で構成されている（紐１４０は、必ずしも生体吸収性を備える必要はない）。
【００３１】
そして、第１の特徴および第２の特徴により、紐１４０を用いて、第１の端部１１２を固定して第２の端部１２２を第１の端部１１２側へ引っ張ることにより、略中央部１３０の他の部分の筒径（第１の筒部１１０および第２の筒部１２０における胴部分の筒径）が拡張されたり、第１の筒部１１０と第２の筒部１２０とが略中央部１３０を中心にして接近したりする。
【００３２】
特に、この欠損孔閉鎖材１００は、以下の作用を発現する点で、心房中隔欠損症のカテーテル治療に適している。
（第１の作用）第２の端部１２２を第１の端部１１２側へ引っ張っていない状態、より詳しくは、生体外において第１の端部１１２と第２の端部１２２とが離隔する方向へ引っ張ると、この欠損孔閉鎖材１００の筒径がカテーテルの内径よりも細くなり、カテーテルにセットすることができる。
（第２の作用）カテーテルにセットして心房中隔に開いた穴の位置まで送り込まれて心房内で放出され、生体内で第１の端部１１２を固定して第２の端部１２２を第１の端部１１２側へ紐１４０を生体外から引っ張ると、略中央部１３０の他の部分の筒径（第１の筒部１１０および第２の筒部１２０における胴部分の筒径）が拡張されて、右心房側に配置された第１の筒部１１０と左心房側に配置された第２の筒部１２０とが略中央部１３０を中心にして接近して、心房中隔に開いた穴を塞ぐことができる。また、紐１４０を引っ張ることを解除すると、第１の筒部１１０および第２の筒部１２０の拡張および接近が解除されて元の状態に戻り、さらに、第１の端部１１２を別の糸または紐１４０で引っ張ったり、鉗子等で引っ張ったりすることにより、欠損孔閉鎖材１００の筒径がカテーテルの内径よりも細くなってカテーテルに再セットされ、生体外に取り出してカテーテル治療をやり直すことができる。
（第３の作用）この欠損孔閉鎖材１００を構成する素材は全て生体吸収性材料であるので、最終的に生体内に吸収されるので遠隔期の不具合の可能性がほとんどなくなる。
【００３３】
このような作用を容易に理解するために、この欠損孔閉鎖材１００を心房中隔欠損症のカテーテル治療に使用した場合について、図３〜図８を参照して説明する。
［使用態様］
図３に、この欠損孔閉鎖材１００を心房中隔欠損症のカテーテル治療に用いる場合の概念図を、図４〜図８に、このカテーテル治療の手順を示す図３のＢ部の拡大図を、それぞれ示す。なお、以下においては、本実施の形態に係る欠損孔閉鎖材１００の使用態様に特有の事項についてのみ説明し、一般的な事項については、公知の心房中隔欠損症のカテーテル治療と同じ説明であるのでここでの詳細な説明は繰り返さない。
【００３４】
図３に示すように、人間の心臓２００は、上大静脈および下大静脈に接続され全身から静脈血を受け入れる右心房２１０、肺動脈および三尖弁２６０を介して右心房２１０に接続され肺へ静脈血を送り出す右心室２２０、肺静脈に接続され肺からの動脈血を受け入れる左心房２３０、大動脈および僧帽弁２７０を介して左心房２３０に接続され全身へ動脈血を送り出す左心室２４０の２心房２心室で構成されている。心房中隔欠損症は、右心房２１０と左心房２３０とを隔てる心房中隔２５０に欠損孔２５２が開いているという疾患である。なお、図３においては、理解しやすくするために、カテーテル３００から欠損孔閉鎖材１００を露出している状態を示す。
【００３５】
まず、生体外において、欠損孔２５２に対して適切な大きさの欠損孔閉鎖材１００の第１の端部１１２と第２の端部１２２とが離隔する方向へ引っ張って欠損孔閉鎖材１００の筒径がカテーテル３００の内径よりも細くして、カテーテル３００にセットする。大腿静脈よりカテーテル３００を挿入して、右心房２１０側より欠損孔２５２を通して左心房２３０側に欠損孔閉鎖材１００を近づける。
【００３６】
図４に示すように、欠損孔閉鎖材１００の略中央部１３０が欠損孔２５２付近に対応するような位置で、欠損孔閉鎖材１００を停止させる。生体内で第１の端部１１２を固定して第２の端部１２２を第１の端部１１２側へ紐１４０を生体外から引っ張ると、図５〜図７に示すように、略中央部１３０の他の部分の筒径（第１の筒部１１０および第２の筒部１２０における胴部分の筒径）が拡張されて、右心房側に配置された第１の筒部１１０と左心房側に配置された第２の筒部１２０とが略中央部１３０（欠損孔２５２）を中心にして徐々に接近するとともに、第１の筒部１１０の筒径および第２の筒部１２０の筒径が拡張する。最終的には、図８に示すように、第１の筒部１１０と第２の筒部１２０とにより心房中隔２５０をその両側から挟み込み、欠損孔閉鎖材１００により、心房中隔２５０に開いた欠損孔２５２を塞ぐことができる。
【００３７】
なお、これらの図４〜図８においては、第１の筒部１１０と第２の筒部１２０とが同時に拡径してかつ接近しているが、第１の筒部１１０を先に拡径させて第２の筒部１２０に近づけてから第２の筒部１２０を拡径させて第１の筒部１１０に近づけることも、その逆に、第２の筒部１２０を先に拡径させて第１の筒部１１０に近づけてから第１の筒部１１０を拡径させて第２の筒部１２０に近づけることも可能である。この場合、たとえば、紐１４０の係合位置を第２の端部１２２から別の位置へ変更したり、紐１４０を第２の端部１２２に加えて他の部位に係合させたり、紐１４０を複数に増やしたりすることにより、形態を、容易にかつ様々に変化させることが可能になる。
【００３８】
その後、カテーテル３００および紐１４０を生体外に取り出して治療が完了する。これにより、生体内には（正確には欠損孔２５２付近）には、全て生体吸収性材料から構成された欠損孔閉鎖材１００が留置される。このように生体内に留置された欠損孔閉鎖材１００の素材は全て生体吸収性材料であるので、最終的に生体内に吸収されるので遠隔期の不具合の可能性がほとんどない。
【００３９】
なお、欠損孔閉鎖材１００を生体内に留置する前に、欠損孔閉鎖材１００の形態を、図８に示す形態に固定する必要がある。欠損孔閉鎖材１００をこの形態に固定するためには、たとえば、生体吸収性繊維１５０が熱融着性を備えるようにしておいて、生体内で生体吸収性繊維１５０を熱セットすることが考えられる。
さらに、特許文献１に示すアセンブリと決定的に相違する長所を、この欠損孔閉鎖材１００は備える。上記したように、生体内で欠損孔閉鎖材１００の形態を図８に示す形態で固定する前であれば、生体内で紐１４０を緩めることにより、生体内で欠損孔閉鎖材１００の形態を図８に示す形態から図７、図６および図５に示す形態を経て図４に示す形態まで戻すことができる。さらには、第１の端部１１２を別の糸または紐１４０で引っ張ったり、鉗子等で引っ張ったりすることにより、欠損孔閉鎖材１００の筒径をカテーテル３００の内径よりも細くしてカテーテル３００の内部へ収納して、カテーテル３００を生体外に戻せば、このカテーテル治療を最初からやり直すことを容易に行うことができる。たとえば、欠損孔閉鎖材１００のサイズを変更してカテーテル治療を最初からやり直す事態が想定できる。これは、一旦、図８のような形態に固定してしまうと、複雑な取出し装置を用いて難しい操作を行うことによってしか取り出すことができない特許文献１に開示されたアセンブリでは実現的でないことは明らかである。なお、特許文献１に開示されたアセンブリの場合には、このような事態が発生すると、侵襲性の高い開胸手術をしなければならない。
【００４０】
以上のようにして、本実施の形態に係る欠損孔閉鎖材１００によると、その全てが生体吸収性材料から構成されており最終的に体内に吸収されるため、遠隔期の不具合の可能性がほとんどない。また、欠損孔閉鎖材１００の筒径が容易に変化するので、欠損孔閉鎖材１００の筒径を細く変化させてカテーテルに容易にセットすることができる。さらに、欠損孔の位置にて、欠損孔閉鎖材１００の筒径を太くかつ２つの筒体が接近するように変化させて、その形態を固定してから生体内に留置して心房中隔に開いた欠損孔を塞ぐことができる。さらに、形態を固定する前であれば、生体内で欠損孔閉鎖材１００の筒径が容易に変化させることができるので、カテーテルにセットしなおして、カテーテル治療を容易にやり直すことができる。このようにして、低侵襲の治療が可能となる。
［他の使用態様］
図９〜図１１に、この欠損孔閉鎖材１００を動脈瘤のカテーテル治療に用いる場合の手順を示す。なお、以下においても、本実施の形態に係る欠損孔閉鎖材１００の他の使用態様に特有の事項についてのみ説明し、一般的な事項については、公知の動脈瘤のカテーテル治療と同じ説明であるのでここでの詳細な説明は繰り返さない。また、上述した使用態様（心房中隔欠損症のカテーテル治療）と同じ説明については繰り返して説明しない。
【００４１】
この欠損孔閉鎖材１００は、第１の筒部１１０における略中央部１３０側に係合して（第１の端部１１２とは逆側のループに引っかけられ）、第１の端部１１２側まで筒体の内部に通された紐１４０を備えている。図９に示すように、欠損孔閉鎖材１００の略中央部１３０が動脈の血管壁３５０付近に対応するような位置で、欠損孔閉鎖材１００を停止させる。このとき、第２の筒部１２０は動脈瘤３５２内に配置され、第１の筒部１１０は動脈内に配置される。生体内で第２の筒部１２０の形状は維持して（少なくとも拡径しないようにして）第１の筒部１１０の筒径が拡張するように、紐１４０を生体外から操作すると（引っ張ると）、図１０に示すように、第１の筒部１１０の筒径が拡張する。さらにこの操作を続けることにより、最終的には、図１１に示すように、第１の筒部１１０により動脈瘤３５２の入口部分を塞ぐことができる。これにより、動脈瘤３５２に動脈血が流入しないようになる。
【００４２】
ここで、上述の図１のように、紐１４０を第２の端部１２２に係合して（第２の端部１２２のループに引っかけて）、第１の端部１１２側まで筒体の内部に通しておいて、略中央部１３０を固定して紐１４０を生体外から操作すると（引っ張ると）、第１の筒部１１０の形状は維持して（少なくとも拡径しないようにして）第２の筒部１２０の筒径を拡径することもできる。生体内の治療部位によって、このような使用態様も考えられる。
［変形例］
図１２に、本発明の変形例に係る医療用材料の一例である欠損孔閉鎖材（閉鎖栓）４００の全体斜視図を示す。この欠損孔閉鎖材４００は、上述した欠損孔閉鎖材１００の紐１４０とは異なる態様で係合された紐４４０を備える。この欠損孔閉鎖材４００において、紐が係合する態様が相違する以外の構成および作用効果は、欠損孔閉鎖材１００と同じである。
【００４３】
図１２に示すように、この欠損孔閉鎖材４００は、第１の端部１１２側から第２の端部１２２側まで筒体の内部に通され、第２の端部１２２に係合され（第２の端部１２２のループに引っかけられ）、第１の端部１１２側まで筒体の内部に通され、第１の端部１１２に係合され（第１の端部１１２のループに引っかけられ）、第２の端部１２２側まで筒体の内部に再度通され、第２の端部１２２に再度係合され（第２の端部１２２のループに再度引っかけられ）、第１の端部１１２側まで筒体の内部に再度通された紐４４０を備える。この紐４４０を用いて第２の端部１２２を第１の端部１１２側へ引っ張ること（第１の端部１１２を第２の端部１２２側へ引っ張ることと同じ）により、欠損孔閉鎖材１００と同様に、欠損孔閉鎖材４００において、略中央部１３０の他の部分の筒径（第１の筒部１１０および第２の筒部１２０における胴部分の筒径）が拡張されたり、第１の筒部１１０と第２の筒部１２０とが略中央部１３０を中心にして接近したりする。
【００４４】
この場合において、欠損孔閉鎖材４００においては欠損孔閉鎖材１００と異なり、紐４４０を引っ張るだけで（紐４４０を固定することなく）、欠損孔閉鎖材４００の形態を保持することができる。このように、欠損孔閉鎖材４００においては、紐４４０を固定することなく、その形態を容易に保持することができる。
なお、この欠損孔閉鎖材４００において、紐４４０の二重ループを第２の端部１２２に係合させる（第２の端部１２２のループに引っかける）代わりに、第２の筒部１２０における略中央部１３０側に係合させる（第２の端部１２２とは逆側のループに引っかける）と、図９〜図１１を用いて説明したように、第２の筒部１２０の形状は維持して（少なくとも拡径しないようにして）第１の筒部１１０の筒径が拡張するようにできるとともに、紐４４０を固定することなく欠損孔閉鎖材４００の形態を容易に保持することができる。
【００４５】
さらに、これとは逆に、この欠損孔閉鎖材４００において、紐４４０の一重ループを第１の端部１１２に係合させる（第１の端部１１２のループに引っかける）代わりに、第１の筒部１１０における略中央部１３０側に係合させる（第１の端部１１２とは逆側のループに引っかける）と、図９〜図１１を用いて説明したように（正確にはこれらの図９〜図１１における逆側の筒部の筒径が拡張）、第１の筒部１１０の形状は維持して（少なくとも拡径しないようにして）第２の筒部１２０の筒径が拡張するようにできるとともに、紐４４０を固定することなく欠損孔閉鎖材４００の形態を容易に保持することができる。
【００４６】
この欠損孔閉鎖材４００における紐４４０は、カテーテル治療が終わると生体外に取り出されない場合が多く、その場合には、紐４４０は、必ず生体吸収性を備える必要がある。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４７】
本発明は、生体組織に形成された欠損（孔、瘤）を治療するためにカテーテルにセットされる医療用材料に好適であり、治療部位にて放出・留置できて低侵襲の治療が可能で、医療用材料が体内に残存しても遠隔期の不具合の可能性がほとんどない点で、特に好ましい。
【符号の説明】
【００４８】
１００、４００  医療用材料（閉鎖栓）
１１０  第１の筒部
１１２  第１の端部
１２０  第２の筒部
１２２  第２の端部
１３０  略中央部
１４０、４４０  紐
１５０  生体吸収性繊維
１６０  多孔質筒状層
２００  心臓
２５０  心房中隔
２５２  欠損孔
３００  カテーテル
３５０  （動脈の）血管壁
３５２  動脈瘤
【図１】
0006002319.tif 000002
【図２Ａ】
0006002319.tif 000003
【図２Ｂ】
0006002319.tif 000004
【図３】
0006002319.tif 000005
【図４】
0006002319.tif 000006
【図５】
0006002319.tif 000007
【図６】
0006002319.tif 000008
【図７】
0006002319.tif 000009
【図８】
0006002319.tif 000010
【図９】
0006002319.tif 000011
【図１０】
0006002319.tif 000012
【図１１】
0006002319.tif 000013
【図１２】
0006002319.tif 000014